(57)【要約】【課題】フットレストプレートを複雑な構造にせず、柔軟なフットレスト本体には貫通穴を形成せずに、クリップでフットレストプレートをフットレスト本体に取付ける。【解決手段】フットレスト装置５は、フットレスト本体３とフットレストプレート１とクリップ２とから成り、クリップ２は、中空の軸部１８とフランジ１９と軸部側面から外方に弾性的に張り出す係止片２１とから成り、フットレストプレート１は、プレート部９とクリップ軸部の中空部に挿入できるように延びるクリップ嵌合部１０とを備え、クリップ嵌合部１０が、フットレスト本体３の取付穴に仮止めされたクリップ軸部１８に挿入されると、係止片２１を軸部側面から外方に押出して係止片先端が取付穴の内壁面に食い込まされるとともに、クリップ嵌合部１０が軸部１８に係止させられてフットレストプレート１がフットレスト本体３に取付けられる。【選択図】図１４
2010083353.tif 000002
【特許請求の範囲】
【請求項１】
足への衝撃を吸収するように形成されてフロアパネルの足置き部分に取付けられるフットレスト本体と、該フットレスト本体上に取付けられて足を載せるように形成されたフットレストプレートと、該フットレストプレートを前記フットレスト本体上に取付けるクリップとから成るフットレスト装置であって、
前記クリップは、フットレスト本体の所定の位置に形成された取付穴に挿入される中空の軸部と、該軸部の端部に設けられて前記取付穴には挿入されない大きさで成り且つ該取付穴の縁部においてフットレスト本体表面に接面するフランジと、フットレスト本体の前記取付穴の内壁面に係合するように前記軸部の側面から外方に弾性的に張り出す係止片とから成り、
前記フットレストプレートは、おもて面に足載せ面を形成するプレート部と、該プレート部の裏面からフットレスト本体の前記取付穴に保持された前記クリップの前記軸部の中空部に挿入できるように延びるクリップ嵌合部とを備え、
前記フットレストプレートの前記クリップ嵌合部が、フットレスト本体の前記取付穴に保持された前記クリップの前記軸部に挿入されると、該軸部の内側から前記係止片を該軸部側面から外方に押出して該係止片の先端が前記取付穴の内壁面に食い込まされるとともに、該クリップ嵌合部が前記軸部に係止させられて当該フットレストプレートがフットレスト本体に取付けられる、
ことを特徴とするフットレスト装置。
【請求項２】
請求項１に記載のフットレスト装置において、前記クリップ嵌合部には前記クリップ軸部の係止穴に係止する係止爪が形成されており、該クリップ嵌合部が該軸部に挿入されると前記係止爪が前記クリップ軸部の前記係止穴に係止する、ことを特徴とするフットレスト装置。
【請求項３】
請求項１又は２に記載のフットレスト装置において、前記クリップの前記係止片がフットレスト本体の前記取付穴に挿入されると、該係止片自身の外方に張り出す弾性力で該係止片の先端が該取付穴の内壁面に係止して、当該クリップがフットレスト本体に仮止めされ、この仮止め状態において該係止片の先端以外の大部分が前記軸部の内側に撓められ、前記クリップ嵌合部が前記軸部に挿入されると、該軸部の内側に撓められた前記係止片部分を該軸部側面から外方に押出して該係止片の先端が前記取付穴の内壁面に食い込まされる、ことを特徴とするフットレスト装置。
【請求項４】
請求項２又は３に記載のフットレスト装置において、前記フットレストプレートの前記クリップ嵌合部は、前記クリップ軸部に挿入される中空の筒状体で形成され、前記係止爪と前記係止穴とはそれぞれ一対設けられ、各係止爪は、該クリップ嵌合部の先端から前記プレート部に向けて延び且つその先端の部分が該クリップ嵌合部の内側から外側に弾性的に張り出すように形成されて、該クリップ嵌合部が該軸部に挿入されると前記係止爪のそれぞれが前記クリップ軸部の対応する係止穴に係止する、ことを特徴とするフットレスト装置。
【請求項５】
請求項４に記載のフットレスト装置において、前記一対の係止爪の先端が前記クリップ嵌合部の中空部を横断する帯状の係止解除片によって相互に連結されており、前記プレート部には、そのおもて面から該クリップ嵌合部の係止解除片に至る差し込み穴が形成されており、該差し込み穴に棒状の部材が差し込まれて前記係止解除片が押込まれると、前記一対の係止爪が前記クリップ嵌合部の中空部の内側に撓められて前記クリップ軸部の前記係止穴との係止が解除され、それによって、フットレストプレートがフットレスト本体から取外しできる、ことを特徴とするフットレスト装置。
【請求項６】
請求項１〜５のいずれか１項に記載のフットレスト装置において、前記フットレストプレートとフットレスト本体との間にフロアマットが挟持される、ことを特徴とするフットレスト装置。
【発明の詳細な説明】
【技術分野】
【０００１】
本発明は、足への衝撃を吸収するように形成されてフロアパネルの足置き部分に取付けられるフットレスト本体と、フットレスト本体上に取付けられて足を載せるように形成されたフットレストプレートと、フットレストプレートをフットレスト本体上に取付けるクリップとから成るフットレスト装置に関する。
【背景技術】
【０００２】
足への衝撃を吸収するように形成されてフロアパネルの足置き部分に取付けられるフットレスト本体に、クリップを用いて、足を載せるように形成されたフットレストプレートを取付けるフットレスト装置が、特許文献１に記載されている。
【０００３】
【特許文献１】特開２００３−１０４１１５号公報
【特許文献２】特開２００６−２１９０７０号公報
【特許文献３】特開２００５−０８１８８１号公報
【特許文献４】特開２００８−１６３９９７号公報
【特許文献５】実開平３−０３０６８２号公報
【発明の開示】
【発明が解決しようとする課題】
【０００４】
特許文献１に記載のフットレスト装置は、フットレストプレートが、おもて面に足載せ面を形成するプレート部と、プレート部の裏面にフットレスト本体に取付けるための一対の一体クリップとを有し、前記の一体クリップをフットレスト本体の取付穴に挿入してフットレストプレートをフットレスト本体に取付けることができる。更に、特許文献１に記載のフットレスト装置には、一対の一体クリップの中間位置に基準突起が設けられ、フットレスト本体にも対応する位置に特定の基準穴が形成されて成り、取付け後のフットレストプレートの回転やがたつきを抑える。このフットレスト装置は、取付け後のフットレストプレートの回転やがたつきを抑えることができるので好ましいが、フットレストプレートに基準突起を、また、フットレスト本体には基準穴を、それぞれ、形成することが必要となる。
【０００５】
特許文献２には、足への衝撃を吸収するように柔軟に形成されたフットレスト本体をフロアパネル等に取付けるクリップが記載されているが、フットレストプレートをフットレスト本体に取付ける構成は記載されていない。特許文献３には、柔軟なパッド（フットレスト本体）を包囲するフットレストカバーを、パッドともにフロアパネル等に取付ける、フットレスト装置を記載している。フットレストカバーには、パッドに対面する裏面に、特殊なクリップ保持部が一の位置に形成されてここに細長いクリップが保持され、他の位置には爪付きボスが一体成形されており、パッドを収容したフットレストカバーがクリップ及びボスによってフロアパネル等に取付けられる。このフットレスト装置においては、パッド（フットレスト本体）に、細長いクリップと爪付きボスとが延び出る貫通穴が形成される。また、パッドを収容したフットレストカバーがクリップ及びボスによってフロアパネル等に取付けられる。従って、フットレストカバーは特殊な形状のクリップ保持部を必要としており、また、フットレスト本体には貫通穴が形成されるので、足の保護を行う柔軟なパッドの機能を低下させてしまう。
【０００６】
特許文献４には、柔軟の構造のティビアパッドを固定するためのクリップが記載されている。特許文献４は、フットレストプレートをフットレスト本体に取付けるフットレスト装置を示すものではない。特許文献５には、電線を保持する基板に形成された錨脚形状のクリップが形成されている。特許文献５の錨脚クリップは、パネル等に取付けた後に一対の錨脚の先端を連結する帯状片を押込むことで取外しができる。特許文献５には、フットレストプレートをフットレスト本体に取付けるフットレスト装置は示されていない。
【０００７】
本発明の目的は、硬い材料で形成されたフットレストプレートを複雑な構造にせず、柔軟なフットレスト本体には貫通穴を形成せずに、クリップを用いて、フットレストプレートをフットレスト本体に取付けることができるフットレスト装置を提供することにある。
【課題を解決するための手段】
【０００８】
かかる目的を達成するため、本発明に係るフットレスト装置は、足への衝撃を吸収するように形成されてフロアパネルの足置き部分に取付けられるフットレスト本体と、フットレスト本体上に取付けられて足を載せるように形成されたフットレストプレートと、フットレストプレートをフットレスト本体上に取付けるクリップとから成るフットレスト装置であって、クリップは、フットレスト本体の所定の位置に形成された取付穴に挿入される中空の軸部と、軸部の端部に設けられて取付穴には挿入されない大きさで成り且つ取付穴の縁部においてフットレスト本体表面に接面するフランジと、フットレスト本体の取付穴の内壁面に係合するように軸部の側面から外方に弾性的に張り出す係止片とから成り、フットレストプレートは、おもて面に足載せ面を形成するプレート部と、プレート部の裏面からフットレスト本体の取付穴に保持されたクリップの軸部の中空部に挿入できるように延びるクリップ嵌合部とを備え、フットレストプレートのクリップ嵌合部が、フットレスト本体の取付穴に保持されたクリップの軸部に挿入されると、軸部の内側から係止片を軸部側面から外方に押出して係止片の先端が取付穴の内壁面に食い込まされるとともに、クリップ嵌合部が軸部に係止させられて当該フットレストプレートがフットレスト本体に取付けられる、ことを特徴とする。
【０００９】
上記構成によって、本発明に係るフットレスト装置は、硬い材料で形成されたフットレストプレートを複雑な構造にせず、柔軟なフットレスト本体には貫通穴を形成せずに、クリップを用いて、フットレストプレートをフットレスト本体に取付けることができる。
【００１０】
上記フットレスト装置において、クリップ嵌合部にはクリップ軸部の係止穴に係止する係止爪が形成されており、クリップ嵌合部が軸部に挿入されると係止爪がクリップ軸部の係止穴に係止する。このフットレスト装置において、クリップの係止片がフットレスト本体の取付穴に挿入されると、係止片自身の外方に張り出す弾性力で係止片の先端が取付穴の内壁面に係止して当該クリップが取付穴に仮止めされ、この仮止め状態において係止片の先端以外の大部分が軸部の内側に撓められて、クリップ嵌合部が軸部に挿入されると、軸部の内側に撓められた係止片部分を軸部側面から外方に押出して係止片の先端が取付穴の内壁面に食い込まされる。従って、クリップはフットレスト本体に仮止めでき、フットレストプレートのクリップ嵌合部の挿入を容易にできる。また、フットレストプレートのクリップ嵌合部は、クリップ軸部に挿入される中空の筒状体で形成され、係止爪と係止穴とはそれぞれ一対設けられ、各係止爪は、クリップ嵌合部の先端からプレート部に向けて延び且つその先端の部分が該クリップ嵌合部の内側から外側に弾性的に張り出すように形成されて、クリップ嵌合部が軸部に挿入されると係止爪のそれぞれがクリップ軸部の対応する係止穴に係止する。これによって、クリップ嵌合部がクリップ軸部に挿入されると、クリップがフットレスト本体に確実に固定され、フットレストプレートがクリップに固定されるので、フットレストプレートがフットレスト本体に確実に固定される。更に、一対の係止爪の先端がクリップ嵌合部の中空部を横断する帯状の係止解除片によって相互に連結されており、プレート部には、そのおもて面からクリップ嵌合部の係止解除片に至る差し込み穴が形成されており、差し込み穴に棒状の部材が差し込まれて係止解除片が押込まれると、一対の係止爪がクリップ嵌合部の中空部の内側に撓められてクリップ軸部の係止穴との係止が解除され、それによって、フットレストプレートがフットレスト本体から取外しできる。これによって、メンテナンス時等のフロアマットの取外しのために、フットレストプレートを取外すのが容易にできる。なお、フットレストプレートとフットレスト本体との間にはフロアマットが挟持されるのが好ましく、これによって、フットレスト装置がフロアマットの固定装置としても利用できる。
【発明を実施するための最良の形態】
【００１１】
以下、本発明の１実施形態に係るフットレスト装置を図面を参照して説明する。フットレスト装置は、図１〜図４に示される足を載せるのに適した形状で硬い材料で形成されたフットレストプレート１と、図５〜図９に示される硬い材料で成るクリップ２と、図１０及び図１１に示される、足への衝撃を吸収するように形成されてフロアパネルの足置き部分に取付けられる柔軟な材料で形成されたフットレスト本体３とから構成される。図１２〜図１５には、組み付け後のフットレスト装置５が示されており、フットレストプレート１は、クリップ２を介してフットレスト本体３に取付けられる。なお、図示の例では、フットレストプレート１とフットレスト本体３との間にはフロアマット６が挟持されて、フットレスト装置がフロアマットの固定装置としても利用されている。また、図１６に図示のように、フットレスト本体３に取付けられたフットレストプレート１は、棒状の解除部材７の押込み操作によって取外しできる。これによって、メンテナンスの時等のフロアマットの取外しのために、フットレストプレート１を取外すのが容易にできる。
【００１２】
図１〜図４を参照して、フットレストプレート１の詳細を説明する。フットレストプレート１は、フットレスト本体２の表面に取付けられて、運転者等の乗員の足に合わせた形状のプレートとして形成され、足を載せても破損しないように、硬い材料、例えば、硬質のプラスチック等の材料で一体成される。おもて面には、図１に図示のように、足のすべり止め等の目的で多数の突起が多数列に並べて形成される。裏面には、図３に図示のように、強度を一定に維持しつつ軽量化を図るため、井桁形状の補強リブが形成されており、フットレストプレート１は、全体として薄いプレート形状であるが、高い強度を有するように形成される。
【００１３】
フットレストプレート１は、おもて面に足載せ面を形成するプレート部９と、プレート部９の裏面からフットレスト本体３の取付穴に保持されたクリップ２の軸部の中空部に挿入できるように延びる、角筒形状のクリップ嵌合部１０とを備え、更に、裏面から位置決めピン１１が延びてフットレスト本体３への位置決めに利用される。図示のように、クリップ嵌合部１０及び位置決めピン１１は、プレート部９の裏面に一対設けられ、フットレスト本体３への位置決め及び取付け後の固定力の向上及び回転の阻止等を図っている。クリップ嵌合部は、クリップ２の軸部に挿入される中空の筒状体（図示の例では角筒）に形成されている。クリップ嵌合部１０には、クリップ２の軸部の係止穴に係止する、一対の係止爪１３が形成されており、クリップ嵌合部１０がクリップ２の軸部に挿入されると係止爪１３がクリップ２の軸部の一対の係止穴に係止する。係止爪１３と係止穴とはそれぞれ一対設けられ、各係止爪１３は、クリップ嵌合部１０の先端側からプレート部９に向けて延び且つその先端の部分がクリップ嵌合部１０の内側から外側に弾性的に張り出すように形成される。従って、クリップ嵌合部１０がクリップ２の軸部に挿入されると、係止爪１３のそれぞれがクリップ２の軸部の対応する係止穴に係止する。
【００１４】
更に、一対の係止爪１３の先端は、クリップ嵌合部１０の中空部１４を横断する帯状の係止解除片１５によって相互に連結されている。また、プレート部９には、そのおもて面からクリップ嵌合部１０の係止解除片１５に至る差し込み穴１７が形成されている。差し込み穴１７に棒状の解除部材７（図１６）が差し込まれて係止解除片１５がクリップ嵌合部１０の先端の側に押込まれると、一対の係止爪１３がクリップ嵌合部１０の中空部１４の内側に撓められる。この係止爪１３の撓めによって、係止爪１３はクリップ２の軸部の係止穴から退避して、その係止が解除され、フットレストプレート１がフットレスト本体３から取外しできる。
【００１５】
図５〜図９を参照して、クリップ２の構成を説明する。クリップ２は、フットレストプレート１をフットレスト本体３に取付けるのに用いられ、本実施形態の場合、硬質のプラスチックで一体成形される。クリップ２は、先ず、フットレスト本体３に仮止めされ、その後、フットレストプレート１のクリップ嵌合部１０を挿入することで、フットレスト本体３に本止めされるとともに、クリップ２は、フットレストプレート１を保持してフットレストプレート１をフットレスト本体３に連結する。クリップ２は、フットレスト本体３の所定の位置に形成された取付穴に挿入される中空の軸部１８と、軸部１８の端部（図６の上端部）に設けられてフットレスト本体３の取付穴には挿入されない大きさで成り且つ取付穴の縁部においてフットレスト本体表面に接面するフランジ１９と、フットレスト本体３の取付穴の内壁面に係合するように軸部１８の側面から外方に弾性的に張り出す一対の係止片２１とから成る。更に、クリップ２の軸部１８には、係止片２１とは異なる位置であって、フットレストプレート１のクリップ嵌合部１０の係止爪１３に係止する一対の係止穴２２が形成されている。係止片２１の各々は、図６、図８及び図９に示すように、フランジ１９に近い側の部分がフランジ１９又は軸部１８に連結され且つ他の部分は軸部１８から切り離されて、先端部分（図６、８、９の下端のフック形状の部分）がフットレスト本体３の取付穴の内壁面に係合するように、軸部１８の側面から外方に張り出す弾性が付与されている。各係止片２１は、フットレスト本体３の取付穴に挿入されると、前記の外方に張り出す弾性力で先端が取付穴の内壁面に係止してクリップ２が取付穴に仮止めされる（図１１）。この仮止め状態（図１１）において係止片２１の先端以外の大部分が軸部１８の内側に撓められてしまう。各係止片２１は、Ｌ字型形状に形成されており、軸部１８の内側に撓められた状態では、図１１に図示のように、係止片２１が軸部１８の中空部の内側で三角形を成すように撓められる。クリップ嵌合部１０が軸部１８の中空部に挿入されると、軸部１８の内側に撓められた三角形状に撓められた係止片部分を、軸部１８の側面から外方に押出す。この押出しによって係止片２１の先端が、フットレスト本体３の取付穴の内壁面に食い込まされる。このように、クリップ２は、フットレスト本体３に仮止めでき、更に、フットレストプレート１のクリップ嵌合部１０の挿入を容易にできるようにする。
【００１６】
フットレスト本体３について、図１０及び図１１を参照して説明する。フットレスト本体３は、足への衝撃を吸収するように形成されてフロアパネルの足置き部分に取付けられる柔軟な材料、例えば、発泡樹脂材料で一体成形される。フットレスト本体３は、その上面にフットレストプレート１が載せられる形状に形成され、足への衝撃を吸収するように所定の高さに形成されている。フットレストプレート１を適正な位置に載せるように、フットレスト本体３には、フットレストプレート１の位置決めピン１１を受ける位置に形成された、穴形状のピン受け部２３と、フットレストプレート１のクリップ嵌合部１０を受ける位置にクリップ２を取付けるクリップ２の取付穴２５とが、それぞれ、位置決めピン１１及びクリップ嵌合部１０に合わせて２個ずつ形成されている。図１０及び図１１において、クリップ２は、その軸部１８が取付穴２５の挿入されて、係止片２１の先端が取付穴２５の内壁面に係止してクリップ２がフットレスト本体３に仮止めされる
【００１７】
図１２〜図１５を参照して、フットレストプレート１とクリップ２とフットレスト本体３とから成るフットレスト装置５について説明する。なお、図示の実施形態において、フットレストプレート１とフットレスト本体３との間には、フロアマット６が取付けられている。フロアマット６には、フットレスト本体３の上面を開放する穴（図示せず）が形成されている。クリップ２がフットレスト本体３に仮止めされた状態（図１０及び図１１）で、フットレストプレート１のクリップ嵌合部１０が、フロアマット６が置かれたフットレスト本体３の取付穴２５に保持されたクリップ２の軸部１８に挿入される。クリップ嵌合部１０が、軸部１８に挿入されると、軸部１８の内側に撓められた係止片部分を軸部側面から外方に押出して係止片２１の先端が取付穴の内壁面に食い込まされる。これによって、クリップ２がフットレスト本体３に確実に固定される。また、クリップ嵌合部１０が軸部１８に挿入されると、クリップ嵌合部１０の係止爪１３がクリップ２の軸部１８の係止穴２２に係止してクリップ嵌合部１０が軸部１８に係止させられて、フットレストプレート１がクリップ２に固定される。フットレストプレート１がクリップ２に固定されるので、フットレストプレートがフットレスト本体に確実に固定される。従って、フットレストプレート１は、中間にフロアマット６を挟んだ状態でクリップ２を介してフットレスト本体３に取付けられる。これによって、フットレスト装置５がフロアマット６の固定装置としても利用できる。
【００１８】
図１６を参照して、フットレストプレート１を取外す操作を説明する。棒状の解除部材７（例えば、スクリュードライバの棒状部分）の先端が、フットレストプレート１のプレート部９の差し込み穴１７からクリップ嵌合部１０の中空部に向けて矢印２６に図示のように押込まれて、係止解除片１５が矢印２６の方向に押込まれる。この押込みによって、一対の係止爪１３がクリップ嵌合部１０の中空部１４の内側に撓められ、クリップ２の軸部１８の係止穴２２との係止が解除される。この係止解除によって、フットレストプレート１がクリップ２から取外しでき、それによって、フットレストプレート１がフットレスト本体３から取外しできる。このように、フットレストプレート１をフットレスト本体３から容易に取外しできるので、メンテナンス時等のフロアマット６の取外しのために、フットレストプレート１を取外すのが容易にできる。
【図面の簡単な説明】
【００１９】
【図１】本発明の１実施形態に係るフットレスト装置のフットレストプレートの平面図である。
【図２】図１のフットレストプレートの正面図である。
【図３】図２のフットレストプレートの底面図である。
【図４】図１のフットレストプレートのＡ−Ａ線断面図である。
【図５】本発明の１実施形態に係るフットレスト装置のクリップの平面図である。
【図６】図５のクリップの正面図である。
【図７】図６のクリップの底面図である。
【図８】図６のクリップの側面図である。
【図９】図８のクリップのＢ−Ｂ線断面図である。
【図１０】本発明の１実施形態に係るフットレスト装置のフットレスト本体の平面図であって、図５のクリップが仮止めされた状態を示す図である。
【図１１】図１０のフットレスト本体のＣ−Ｃ線断面図である。
【図１２】本発明の１実施形態に係るフットレスト装置の平面図である。
【図１３】図１２のフットレスト装置の正面図である。
【図１４】図１２のフットレスト装置のＤ−Ｄ線断面図である。
【図１５】図１２のフットレスト装置のＥ−Ｅ線断面図である。
【図１６】フットレストプレートをフットレスト本体から取外す操作を示す、図１２と同様の断面図である。
【符号の説明】
【００２０】
１  フットレストプレート
２  クリップ
３  フットレスト本体
５  フットレスト装置
６  フロアマット
７  解除部材
９  プレート部
１０  クリップ嵌合部
１１  位置決めピン
１３  係止爪
１４  クリップ嵌合部の中空部
１５  係止解除片
１７  差し込み穴
１８  クリップの軸部
１９  フランジ
２１  係止片
２２  係止穴
２３  ピン受け部
２５  フットレスト本体の取付穴
【図１】
2010083353.tif 000003
【図２】
2010083353.tif 000004
【図３】
2010083353.tif 000005
【図４】
2010083353.tif 000006
【図５】
2010083353.tif 000007
【図６】
2010083353.tif 000008
【図７】
2010083353.tif 000009
【図８】
2010083353.tif 000010
【図９】
2010083353.tif 000011
【図１０】
2010083353.tif 000012
【図１１】
2010083353.tif 000013
【図１２】
2010083353.tif 000014
【図１３】
2010083353.tif 000015
【図１４】
2010083353.tif 000016
【図１５】
2010083353.tif 000017
【図１６】
2010083353.tif 000018